(57)【要約】【課題】  装置全体として構成を複雑化することなく、不自然さ（映像のガタツキ）を抑制することを可能とする映像表示装置及び信号処理方法を提供する。【解決手段】  元フレームが有する元フレーム区間よりも短い出力フレーム区間を有する出力フレームを出力する映像表示装置１００は、出力フレームを出力フレーム区間毎に順に表示する表示素子３０と、表示素子３０に光を照射する光源光源１０と、光源１０が光を出射する期間である発光期間を制御する光源制御部２５０とを備える。元フレームは、第１元フレームと、第１元フレームに時間軸上で隣接する第２元フレームとを含む。出力フレームは、第１元フレームに相当する複数の第１出力フレームと、第２元フレームに相当する複数の第２出力フレームとを含む。光源制御部２５０は、複数の第１出力フレームに対応する発光期間と、複数の第２出力フレームに対応する発光期間とを揃える。【選択図】  図２
2009100428.tif 000002
【特許請求の範囲】
【請求項１】
元フレームが有する元フレーム区間よりも短い出力フレーム区間を有する出力フレームを出力する映像表示装置であって、
前記出力フレームを前記出力フレーム区間毎に順に表示する表示素子と、
前記表示素子に光を照射する光源と、
前記光源が光を出射する期間である発光期間を制御する光源制御部とを備え、
前記元フレームは、第１元フレームと、前記第１元フレームに時間軸上で隣接する第２元フレームとを含み、
前記出力フレームは、前記第１元フレームに相当する複数の第１出力フレームと、前記第２元フレームに相当する複数の第２出力フレームとを含み、
前記光源制御部は、前記複数の第１出力フレームが前記表示素子上に表示されている期間における前記発光期間と、前記複数の第２出力フレームが前記表示素子上に表示されている期間における前記発光期間とを揃えることを特徴とする映像表示装置。
【請求項２】
前記複数の第２出力フレームのフレーム数は、前記複数の第１出力フレームのフレーム数よりも多く、
前記光源制御部は、前記複数の第２出力フレームが前記表示素子上に表示されている期間内において、前記複数の第２出力フレームの表示開始期間及び前記複数の第２出力フレームの表示終了期間の少なくとも一方に、前記光源が光を出射しない期間である非発光期間を設けることを特徴とする請求項１に記載の映像表示装置。
【請求項３】
前記表示開始期間に設けられた前記非発光期間は、映像出力信号に対する前記表示素子の応答時間を含むことを特徴とする請求項２に記載の映像表示装置。
【請求項４】
前記表示素子は、第１領域と第２領域とを含み、
前記光源は、前記第１領域に光を照射する第１光源と、前記第２領域に光を照射する第２光源とを含み、
前記第１光源に対応する前記表示開始期間に設けられた前記非発光期間は、前記複数の第１出力フレームから前記複数の第２出力フレームへの切り替えにおいて前記第１領域を走査する走査時間を含み、
前記第２光源に対応する前記表示開始期間に設けられた前記非発光期間は、前記複数の第１出力フレームから前記複数の第２出力フレームへの切り替えにおいて前記第２領域を走査する走査時間を含むことを特徴とする請求項２に記載の映像表示装置。
【請求項５】
前記複数の第１出力フレームのフレーム数は２であり、前記複数の第２出力フレームのフレーム数は３であることを特徴とする請求項２に記載の映像表示装置。
【請求項６】
元フレームが有する元フレーム区間よりも短い出力フレーム区間を有する出力フレームを出力する信号処理方法であって、
前記出力フレームを前記出力フレーム区間毎に順に表示素子上に表示するステップＡと、
前記表示素子に光を照射する光源が光を出射する期間である発光期間を制御するステップＢとを含み、
前記元フレームは、第１元フレームと、前記第１元フレームに時間軸上で隣接する第２元フレームとを含み、
前記出力フレームは、前記第１元フレームに相当する複数の第１出力フレームと、前記第２元フレームに相当する複数の第２出力フレームとを含み、
前記ステップＢでは、前記複数の第１出力フレームが前記表示素子上に表示されている期間における前記発光期間と、前記複数の第２出力フレームが前記表示素子上に表示されている期間における前記発光期間とを揃えることを特徴とする信号処理方法。
【発明の詳細な説明】
【技術分野】
【０００１】
本発明は、元フレーム区間を有する元フレームを前記元フレーム区間よりも短い出力フレーム区間を有する出力フレームに変換する映像表示装置及び信号処理方法に関する。
【背景技術】
【０００２】
従来、６０Ｈｚで動作する表示素子（液晶パネルなど）によって毎秒２４フレームで製作された映像を出力するために、２４フレームの元フレームに相当する映像信号を６０フレームの出力フレームに相当する映像信号に変換する技術（以下、２−３プルダウン処理）が知られている。具体的には、２−３プルダウン処理では、奇数番目の元フレームは、２フレームの出力フレームに変換され、偶数番目の元フレームは、３フレームの出力フレームに変換される。逆に、偶数番目の元フレームが、２フレームの出力フレームに変換され、奇数番目の元フレームが、３フレームの出力フレームに変換されてもよい。
【０００３】
このように、２−３プルダウン処理では、奇数番目の元フレームに相当する出力フレーム数と、偶数番目の元フレームに相当する出力フレーム数とが異なる。すなわち、奇数番目の元フレームの表示時間と偶数番目の元フレームの表示時間とが異なるため、映像内で物体が移動するようなケース（スクロール映像）において、不自然さ（映像のガタツキ）が生じてしまう。
【０００４】
これに対して、表示素子の駆動周波数を６０Ｈｚから２４Ｈｚに変更する技術が提案されている。具体的には、２−３プルダウン処理が行われた映像信号のうち、各元フレームに対応する映像信号が２つのフレームメモリに交互に書き込まれる。続いて、２つのフレームメモリに書き込まれた映像信号が交互に読み出される（例えば、特許文献１）。
【特許文献１】特開２００４−５６２８７号公報（例えば、請求項１、［００１９］、図５など）
【発明の開示】
【発明が解決しようとする課題】
【０００５】
しかしながら、上述した提案方法では、フレームメモリの構成が複雑になり、表示素子の駆動周波数を変更する制御ドライバが必要になる。
【０００６】
そこで、本発明は、上述した課題を解決するためになされたものであり、装置全体として構成を複雑化することなく、不自然さ（映像のガタツキ）を抑制することを可能とする映像表示装置及び信号処理方法を提供することを目的とする。
【課題を解決するための手段】
【０００７】
第１の特徴では、元フレームが有する元フレーム区間よりも短い出力フレーム区間を有する出力フレームを出力する映像表示装置は、前記出力フレームを前記出力フレーム区間毎に順に表示する表示素子（表示素子３０）と、前記表示素子に光を照射する光源（光源１０）と、前記光源が光を出射する期間である発光期間を制御する光源制御部（光源制御部２５０）とを備える。前記元フレームは、第１元フレームと、前記第１元フレームに時間軸上で隣接する第２元フレームとを含む。前記出力フレームは、前記第１元フレームに相当する複数の第１出力フレームと、前記第２元フレームに相当する複数の第２出力フレームとを含む。前記光源制御部は、前記複数の第１出力フレームが前記表示素子上に表示されている期間における前記発光期間と、前記複数の第２出力フレームが前記表示素子上に表示されている期間における前記発光期間とを揃える。なお、光源は、複数の光源群によって構成されていてもよい。
【０００８】
かかる特徴によれば、光源制御部は、複数の第１出力フレームに対応する発光期間と複数の第２出力フレームに対応する発光期間とを揃える。従って、第１元フレームをユーザが視認する期間と第２元フレームをユーザが視認する期間とが揃う。一方で、表示素子の駆動周波数などを変更する必要がない。
【０００９】
これによって、装置全体として構成を複雑化することなく、不自然さ（映像のガタツキ）、すなわち、フリッカーの発生を抑制することができる。
【００１０】
上述した第１の特徴において、前記複数の第２出力フレームのフレーム数は、前記複数の第１出力フレームのフレーム数よりも多い。前記光源制御部は、前記複数の第２出力フレームが前記表示素子上に表示されている期間内において、前記複数の第２出力フレームの表示開始期間及び前記複数の第２出力フレームの表示終了期間の少なくとも一方に、前記光源が光を出射しない期間である非発光期間を設ける。
【００１１】
上述した第１の特徴において、前記表示終了期間に設けられた前記非発光期間は、映像出力信号に対する前記表示素子の応答時間を含む。
【００１２】
上述した第１の特徴において、前記表示素子は、第１領域（上側領域３０ａ）と第２領域（下側領域３０ｂ）とを含む。前記光源は、前記第１領域に光を照射する第１光源（光源１０ａ）と、前記第２領域に光を照射する第２光源（光源１０ｂ）とを含む。前記第１光源に対応する前記表示開始期間に設けられた前記非発光期間は、前記複数の第１出力フレームから前記複数の第２出力フレームへの切り替えにおいて前記第１領域を走査する走査時間を含む。前記第２光源に対応する前記表示開始期間に設けられた前記非発光期間は、前記複数の第１出力フレームから前記複数の第２出力フレームへの切り替えにおいて前記第２領域を走査する走査時間を含む。なお、第１光源及び第２光源は、それぞれ、複数の光源群によって構成されていてもよい。また、表示素子は、３つ以上の領域を有しており、３つ以上の領域にそれぞれ光を照射する光源が設けられていてもよい。
【００１３】
上述した第１の特徴において、前記複数の第１出力フレームのフレーム数は２であり、前記複数の第２出力フレームのフレーム数は３である。
【００１４】
第２の特徴では、元フレームが有する元フレーム区間よりも短い出力フレーム区間を有する出力フレームを出力する信号処理方法は、前記出力フレームを前記出力フレーム区間毎に順に表示素子上に表示するステップＡと、前記表示素子に光を照射する光源が光を出射する期間である発光期間を制御するステップＢとを含む。前記元フレームは、第１元フレームと、前記第１元フレームに時間軸上で隣接する第２元フレームとを含む。前記出力フレームは、前記第１元フレームに相当する複数の第１出力フレームと、前記第２元フレームに相当する複数の第２出力フレームとを含む。前記ステップＢでは、前記複数の第１出力フレームが前記表示素子上に表示されている期間における前記発光期間と、前記複数の第２出力フレームが前記表示素子上に表示されている期間における前記発光期間とを揃える。
【発明の効果】
【００１５】
本発明によれば、装置全体として構成を複雑化することなく、不自然さ（映像のガタツキ）を抑制することを可能とする映像表示装置及び信号処理方法を提供することができる。
【発明を実施するための最良の形態】
【００１６】
以下において、本発明の実施形態に係る映像表示装置について、図面を参照しながら説明する。なお、以下の図面の記載において、同一又は類似の部分には、同一又は類似の符号を付している。
【００１７】
ただし、図面は模式的なものであり、各寸法の比率などは現実のものとは異なることに留意すべきである。従って、具体的な寸法などは以下の説明を参酌して判断すべきである。
【００１８】
［第１実施形態］
（映像表示装置の構成）
以下において、第１実施形態に係る映像表示装置について、図面を参照しながら説明する。図１は、第１実施形態に係る映像表示装置１００を示す図である。映像表示装置１００は、例えば、前面投写型や背面投射型などの投写型映像表示装置、液晶テレビなどである。なお、図１では、映像表示装置１００の一例として前面投写型の投写型映像表示装置が示されている。
【００１９】
第１実施形態では、映像が製作された段階における映像単位を“元フレーム”と称する。単数の元フレームが有する時間間隔を“元フレーム区間”と称する。一方で、映像が表示される段階における映像単位を“出力フレーム”と称する。単数の出力フレームが有する時間間隔を“出力フレーム区間と称する。
【００２０】
第１実施形態では、元フレーム区間が出力フレーム区間よりも短いケースについて主として説明する。具体的には、元フレームは、毎秒２４コマ（フレーム）で製作された映像単位（例えば、シネマ映像）であり、出力フレームは、毎秒６０フレームで表示される映像単位（例えば、テレビ映像）である。
【００２１】
図１に示すように、映像表示装置１００は、光源１０と、レンズ２０と、表示素子３０と、投写レンズユニット４０とを有する。
【００２２】
光源１０は、表示素子３０上に光を照射する。光源１０は、例えば、冷陰極管（ＣＣＦＬ；Ｃｏｌｄ  Ｃａｔｈｏｄｅ  Ｆｌｕｏｒｅｓｃｅｎｔ  Ｌｕｍｐ）、ＬＥＤ（Ｌｉｇｈｔ  Ｅｍｉｔｔｉｎｇ  Ｄｉｏｄｅ）、ＬＤ（Ｌａｓｅｒ  Ｄｉｏｄｅ）などである。なお、図１では、光源１０の一例として、ＬＥＤやＬＤなどの固体光源が示されている。
【００２３】
レンズ２０は、光源１０から出射される光を表示素子３０上に集光する集光レンズである。なお、図１では省略されているが、光源１０とレンズ２０との間には一対のフライアイレンズが設けられている。一対のフライアイレンズは、光源１０から出射される光を均一化する。
【００２４】
表示素子３０は、出力フレームを出力フレーム区間毎に表示する。表示素子３０は、例えば、透過型液晶パネル、反射型液晶パネル（ＬＣＯＳ  Ｌｉｑｕｉｄ  Ｃｒｙｓｔａｌ  Ｏｎ  Ｓｉｌｉｃｏｎ）、ＤＭＤ（Ｄｉｇｉｔａｌ  Ｍｉｃｒｏｍｉｒｒｏｒ  Ｄｅｖｉｃｅ）などである。表示素子３０には、水平方向に沿って走査線が設けられている。なお、図１では、表示素子３０の一例として、透過型液晶パネルが示されている。
【００２５】
第１実施形態では、表示素子３０の駆動周波数は、ＮＴＳＣ（Ｎａｔｉｏｎａｌ  Ｔｅｌｅｖｉｓｉｏｎ  Ｓｔａｎｄａｒｄｓ  Ｃｏｍｉｔｔｅｅ）に準拠する６０Ｈｚであるものとして説明する。なお、表示素子３０の駆動周波数は、ＰＡＬ（Ｐｈａｓｅ  Ａｌｔｅｒｎａｔｉｎｇ  Ｌｉｎｅ）に準拠する５０Ｈｚであってもよい。なお、出力フレーム区間の長さは、表示素子３０の駆動周波数の逆数と同義である。
【００２６】
投写レンズユニット４０は、表示素子３０から出射された映像光（出力フレーム）をスクリーン（不図示）上に投写する。
【００２７】
（制御ユニットの構成）
以下において、第１実施形態に係る制御ユニットについて、図面を参照しながら説明する。図２は、第１実施形態に係る制御ユニット２００を示すブロック図である。
【００２８】
図２に示すように、制御ユニット２００は、映像信号受付部２１０と、２−３プルダウン処理部２２０と、２−３プルダウン検出部２３０と、素子制御部２４０と、光源制御部２５０とを有する。
【００２９】
映像信号受付部２１０は、映像入力信号を受付ける。映像入力信号は、例えば、毎秒２４フレーム（コマ）を有する映像信号、毎秒６０フィールドを有する映像信号（ＮＴＳＣ）、毎秒５０フィールドを有する映像信号（ＰＡＬ）などである。
【００３０】
ここで、フレームは、プログレッシブ方式において１回の走査によって表示される映像単位である。プログレッシブ方式における１回の走査では、表示素子３０に設けられた全ての走査線が順に走査される。
【００３１】
一方で、フィールドは、インタレース方式において１回の走査によって表示される映像単位である。インタレース方式における１回の走査では、表示素子３０に設けられた走査線のうち、奇数行目又は偶数行目の走査線が走査される。
【００３２】
なお、インタレース方式では、奇数行目の走査線の走査と偶数行目の走査線の走査とが交互に行われ、２フィールドによって１フレームが構成される。
【００３３】
第１実施形態では、映像信号受付部２１０は、毎秒２４フレーム（コマ）を有する映像信号又は毎秒６０フィールドを有する映像信号（インタレース）を映像入力信号として受付ける。映像信号受付部２１０は、毎秒２４フレーム（コマ）を有する映像信号を２−３プルダウン処理部２２０に出力する。一方で、映像信号受付部２１０は、毎秒６０フィールドを有する映像信号（インタレース）を２−３プルダウン検出部２３０に出力する。
【００３４】
２−３プルダウン処理部２２０は、２−３プルダウン処理によって、毎秒２４フレーム（コマ）の元フレームに相当する映像信号を、毎秒６０フィールドのフィールドに相当する映像信号（インタレース）に変換する。具体的には、２−３プルダウン処理部２２０は、奇数番目の元フレームを２フィールドのフィールドに変換し、偶数番目の元フレームを３フィールドのフィールドに変換する。なお、２−３プルダウン処理部２２０は、偶数番目の元フレームを２フィールドのフィールドに変換し、奇数番目の元フレームを３フィールドのフィールドに変換してもよい。
【００３５】
２−３プルダウン検出部２３０は、２−３プルダウン処理が映像信号に施されているか否かを判定する。続いて、２−３プルダウン検出部２３０は、素子制御信号（映像出力信号）を素子制御部２４０に出力し、光源制御信号を光源制御部２５０に出力する。
【００３６】
具体的には、２−３プルダウン検出部２３０は、図３に示すように、遅延回路２３１と、遅延回路２３２と、差分検出部２３３と、判定部２３４と、Ｉ／Ｐ変換部２３５とを有する。
【００３７】
なお、２−３プルダウン検出部２３０には、上述したように、映像信号受付部２１０又は２−３プルダウン検出部２３０から、毎秒６０フィールドのフィールドに相当する映像信号（インタレース）が映像入力信号として入力される。図３では、Ｓｉ（ｎ）は、ｎ番目のフィールドに相当する映像信号（インタレース）を示している。
【００３８】
遅延回路２３１は、映像信号Ｓｉ（ｎ）を１フィールド分遅延させる回路である。従って、映像信号Ｓｉ（ｎ−１）が遅延回路２３１から出力される。
【００３９】
遅延回路２３２は、映像信号Ｓｉ（ｎ−１）を１フィールド分遅延させる回路である。従って、映像信号Ｓｉ（ｎ−２）が遅延回路２３２から出力される。
【００４０】
差分検出部２３３は、映像信号Ｓｉ（ｎ−２）と映像信号Ｓｉ（ｎ）とに基づいて、ｎ−２番目のフィールドとｎ番目のフィールドとの差分を検出する。差分検出部２３３は、ｎ−２番目のフィールドとｎ番目のフィールドとが同じである場合には、ｎ−２番目のフィールドに対応する制御信号（ｚ）に“１”をセットする。差分検出部２３３は、ｎ−２番目のフィールドとｎ番目のフィールドとが異なる場合には、ｎ−２番目のフィールドに対応する制御信号（ｚ）に“０”をセットする。
【００４１】
判定部２３４は、制御信号（ｚ）の値に基づいて、２−３プルダウン処理が映像信号に施されているか否かを判定する。具体的には、判定部２３４は、制御信号（ｚ）に“１”がセットされたフィールドが５フィールド周期で現れる場合には、２−３プルダウン処理が映像信号に施されていると判定する。
【００４２】
続いて、判定部２３４は、フィールド番号（ｆ）、判定結果（ｃ）及び同期信号を含む制御信号を生成する。フィールド番号（ｆ）には、“１”〜“５”が順にセットされる。ｎ−２番目のフィールドとｎ番目のフィールドとが同じである場合に、ｎ−２番目のフィールドに対応するフィールド番号（ｆ）に“１”がセットされる。判定結果（ｃ）には、“０”又は“１”がセットされる。２−３プルダウン処理が映像信号に施されている場合に、ｎ−２番目のフィールドに対応する判定結果（ｃ）に“１”がセットされる。２−３プルダウン処理が映像信号に施されていない場合に、ｎ−２番目のフィールドに対応する判定結果（ｃ）に“０”がセットされる。同期信号は、各フィールドの同期をとるための信号であり、各フィールドの開始位置を示している。
【００４３】
判定部２３４は、フィールド番号（ｆ）、判定結果（ｃ）及び同期信号を含制御信号をＩ／Ｐ変換部２３５に出力する。判定部２３４は、フィールド番号（ｆ）、判定結果（ｃ）及び同期信号を含む制御信号を光源制御信号として光源制御部２５０に出力する。
【００４４】
Ｉ／Ｐ変換部２３５は、映像信号（インタレース）を映像信号（プログレッシブ）に変換する。Ｉ／Ｐ変換部２３５は、映像信号（プログレッシブ）を映像出力信号（素子制御信号）として素子制御部２４０に出力する。
【００４５】
図３では、Ｓｐ（ｎ−２）は、映像信号Ｓｉ（ｎ−２）に相当する映像信号を表している。すなわち、Ｓｐ（ｎ−２）は、ｎ−２番目の出力フレームに対応する映像信号である。
【００４６】
映像信号Ｓｐは、遅延回路２３１及び遅延回路２３２によって２フィールド（２フレーム）分遅延されるため、映像信号Ｓｉ（ｎ）が入力されたタイミングで、映像信号Ｓｉ（ｎ−２）に相当する映像信号Ｓｐ（ｎ−２）が出力されることに留意すべきである。
【００４７】
図２に戻って、素子制御部２４０は、Ｉ／Ｐ変換部２３５から取得する素子制御信号（映像出力信号）に基づいて、表示素子３０上に出力フレームを表示する。例えば、素子制御部２４０は、映像信号Ｓｐ（ｎ−２）に基づいて、表示素子３０上にｎ−２番目の出力フレームを表示する。
【００４８】
光源制御部２５０は、判定部２３４から取得する光源制御信号に基づいて、光源１０が光を発する期間（発光期間）を制御する。
【００４９】
具体的には、光源制御部２５０は、判定結果（ｃ）が“０”である場合には、すなわち、２−３プルダウン処理が映像信号に施されていない場合には、発光期間を特に制限せずに、通常通りに光源１０を制御する。
【００５０】
一方で、光源制御部２５０は、判定結果（ｃ）が“０”である場合には、すなわち、２−３プルダウン処理が映像信号に施されていない場合には、ｎ−１番目の元フレームに相当する複数の出力フレームが表示されている期間における発光期間と、ｎ番目の元フレームに相当する複数の出力フレームが表示されている期間における発光期間とを揃える。
【００５１】
例えば、光源制御部２５０は、１コマ（フレーム）の元フレームに相当する３フレームの出力フレームが表示素子３０上に表示されている期間内において、３フレームの出力フレームの表示開始期間及び３フレームの出力フレームの表示終了期間に、光源１０が光を発しない期間（非発光期間）を設ける。これによって、光源制御部２５０は、ｎ−１番目の元フレームに相当する複数の出力フレームが表示されている期間における発光期間と、ｎ番目の元フレームに相当する複数の出力フレームが表示されている期間における発光期間とを揃える。
【００５２】
（光源制御方法）
以下において、第１実施形態に係る光源制御方法について、図面を参照しながら説明する。図４は、第１実施形態に係る光源制御方法の一例について示す図である。図４では、２−３プルダウン処理が映像信号に施されているケース、すなわち、上述した判定結果（ｃ）に“１”がセットされるケースについて説明する。
【００５３】
元フレームは、毎秒２４コマ（フレーム）で作製されており、時間軸上で隣接する複数の元フレーム（元フレームＡ〜元フレームＥ）を含む。元フレームが有する元フレーム区間は、１／２４秒である。
【００５４】
映像信号Ｓｉは、毎秒６０フィールドのフィールドに相当する映像信号である。上述したように、２−３プルダウン処理部２２０は、２−３プルダウン処理によって、毎秒２４フレーム（コマ）の元フレームに相当する映像信号を、毎秒６０フィールドのフィールドに相当する映像信号（インタレース）に変換する。
【００５５】
光源制御信号は、各フィールドの同期をとるための同期信号及び各フィールドのフィールド番号（ｆ）を含む。
【００５６】
映像信号Ｓｐは、毎秒６０フレームの出力フレームに相当する映像信号である。映像信号Ｓｉは、遅延回路２３１及び遅延回路２３２によって遅延されるため、映像信号Ｓｐは、映像信号Ｓｉよりも２フレーム分遅延している。なお、素子制御部２４０は、映像信号Ｓｐに基づいて、表示素子３０上に出力フレームを表示する。
【００５７】
ここで、光源制御部２５０は、同期信号及びフィールド番号（ｆ）を含む光源制御信号に基づいて、光源１０が光を発する期間（発光期間）を制御する。具体的には、光源制御部２５０は、ｎ−１番目の元フレームに相当する複数の出力フレームが表示されている期間における発光期間と、ｎ番目の元フレームに相当する複数の出力フレームが表示されている期間における発光期間とを揃える。
【００５８】
例えば、元フレームＡに相当する複数の出力フレームＡが表示されている期間における発光期間Ａは、元フレームＢに相当する複数の出力フレームＢが表示されている期間における発光期間Ｂと同じである。出力フレームＢが表示されている期間内において、出力フレームＢの表示開始期間及び出力フレームＢの表示終了期間には、光源１０が光を発しない期間（非発光期間Ｂｎｏｎ−Ｓ及び非発光期間Ｂｎｏｎ−E）が設けられる。
【００５９】
非発光期間では、表示素子３０上に表示された出力フレームが視認されないため、各元フレームをユーザが視認する期間（“視認期間”を参照）は均一となる。
【００６０】
（作用及び効果）
第１実施形態では、光源制御部２５０は、元フレームＡに相当する複数の出力フレームＡが表示されている期間における発光期間Ａと、元フレームＢに相当する複数の出力フレームＢが表示されている期間における発光期間Ｂとを揃える。
【００６１】
具体的には、元フレームＢに相当する複数の出力フレームＢのフレーム数が、元フレームＡに相当する複数の出力フレームＡのフレーム数よりも多いことを前提として、出力フレームＢの表示開始期間及び出力フレームＢの表示終了期間には、光源１０が光を発しない期間（非発光期間Ｂｎｏｎ−Ｓ及び非発光期間Ｂｎｏｎ−E）が設けられる。
【００６２】
従って、元フレームＡをユーザが視認する期間と元フレームＢをユーザが視認する期間とが揃う。一方で、表示素子３０の駆動周波数などを変更する必要がない。
【００６３】
従って、装置全体として構成を複雑化することなく、不自然さ（映像のガタツキ）、すなわち、フリッカーの発生を抑制することができる。
【００６４】
［第２実施形態］
以下において、第２実施形態について図面を参照しながら説明する。以下においては、上述した第１実施形態と第２実施形態との相違点について主として説明する。
【００６５】
具体的には、上述した第１実施形態では特に触れていないが、第２実施形態では、表示素子３０の応答時間が考慮される。
【００６６】
（光源制御方法）
以下において、第２実施形態に係る光源制御方法について、図面を参照しながら説明する。図５は、第２実施形態に係る光源制御方法の一例について示す図である。図５では、２−３プルダウン処理が映像信号に施されているケース、すなわち、上述した判定結果（ｃ）に“１”がセットされるケースについて説明する。
【００６７】
図５に示すように、表示素子３０上に表示される出力フレームの切り替えにおいて、映像出力信号（印可電圧）に対する表示素子３０の応答時間Ｔ（応答時間Ｔａや応答時間Ｔｂ）が生じる。
【００６８】
ここで、光源制御部２５０は、出力フレームＡが表示されている期間内において、出力フレームＡの表示開始期間に、光源１０が光を発しない期間（非発光期間Ａｎｏｎ−Ｓ）を設ける。同様に、光源制御部２５０は、出力フレームＢが表示されている期間内において、出力フレームＢの表示開始期間に、光源１０が光を発しない期間（非発光期間Ｂｎｏｎ−Ｓ）を設ける。非発光期間Ａｎｏｎ−Ｓは、応答時間Ｔａを含み、非発光期間Ｂｎｏｎ−Ｓは、応答時間Ｔｂを含む。
【００６９】
（作用及び効果）
第２実施形態では、光源制御部２５０は、表示素子３０の応答時間を考慮して、光源１０の発光期間を制御する。具体的には、非発光期間は、映像出力信号に対する表示素子３０の応答時間を含む。
【００７０】
従って、元フレームＡをユーザが視認する期間と元フレームＢをユーザが視認する期間とをさらに適切に揃えることができる。
【００７１】
［第３実施形態］
以下において、第３実施形態について図面を参照しながら説明する。以下においては、上述した第１実施形態と第３実施形態との相違点について主として説明する。
【００７２】
具体的には、上述した第１実施形態では特に触れていないが、第３実施形態では、表示素子３０の走査時間が考慮される。
【００７３】
（走査方法）
以下において、（１）第１実施形態に係る走査方法、（２）第３実施形態に係る走査方法について、図面を参照しながら説明する。
【００７４】
上述した第１実施形態は、図６（ａ）に示すように、フレームバッファなどを利用して、一括スキャンが行われることを前提としている。具体的には、出力フレームｎが表示されている間に、出力フレームｎ＋１に相当する映像出力信号がフレームバッファに格納される。出力フレームｎから出力フレームｎ＋１への切り替えにおいて、フレームバッファに格納された映像出力信号によって、表示素子３０が一括して走査される。
【００７５】
これに対して、第２実施形態は、図６（ｂ）に示すように、フレームバッファなどを利用せずに、逐次スキャンが行われることを前提としている。具体的には、出力フレームｎが表示された後に、出力フレームｎ＋１に相当する映像出力信号によって、表示素子３０が順に走査される。
【００７６】
（光源制御方法）
以下において、第３実施形態に係る光源制御方法について、図面を参照しながら説明する。図７は、第３実施形態に係る光源制御方法の一例について示す図である。図７では、２−３プルダウン処理が映像信号に施されているケース、すなわち、上述した判定結果（ｃ）に“１”がセットされるケースについて説明する。
【００７７】
図７に示すように、表示素子３０上に表示される出力フレームの切り替えにおいて、表示素子３０に設けられた走査線を走査する走査時間Ｓ（走査時間Ｓａや走査時間Ｓｂ）が生じる。
【００７８】
なお、走査時間Ｓａ１及び走査時間Ｓｂ１は、表示素子３０に設けられた上側領域に設けられた走査線を走査する時間である。走査時間Ｓａ２及び走査時間Ｓｂ２は、表示素子３０に設けられた下側領域に設けられた走査線を走査する時間である。
【００７９】
ここで、光源制御部２５０は、出力フレームＡが表示されている期間内において、出力フレームＡの表示開始期間に、光源１０が光を発しない期間（非発光期間Ａｎｏｎ−Ｓ）を設ける。同様に、光源制御部２５０は、出力フレームＢが表示されている期間内において、出力フレームＢの表示開始期間に、光源１０が光を発しない期間（非発光期間Ｂｎｏｎ−Ｓ）を設ける。非発光期間Ａｎｏｎ−Ｓは、走査時間Ｓａ１及び走査時間Ｓａ２を含み、非発光期間Ｂｎｏｎ−Ｓは、走査時間Ｓｂ１及び走査時間Ｓｂ２を含む。
【００８０】
（作用及び効果）
第３実施形態では、光源制御部２５０は、表示素子３０の走査時間を考慮して、光源１０の発光期間を制御する。具体的には、非発光期間は、出力フレームの切り替えにおいて、表示素子３０に設けられた走査線を走査する走査時間を含む。
【００８１】
従って、元フレームＡをユーザが視認する期間と元フレームＢをユーザが視認する期間とをさらに適切に揃えることができる。
【００８２】
［第４実施形態］
以下において、第４実施形態について図面を参照しながら説明する。以下においては、上述した第１実施形態と第４実施形態との相違点について主として説明する。
【００８３】
具体的には、上述した第１実施形態では特に触れていないが、第４実施形態では、映像表示装置１００は複数の光源１０を有しており、複数の光源１０のそれぞれは、表示素子３０に設けられた複数の領域に光を照射する。
【００８４】
（映像表示装置の構成）
以下において、第４実施形態に係る映像表示装置について、図面を参照しながら説明する。図８は、第４実施形態に係る映像表示装置１００を示す図である。なお、図８では、図１と同様の構成について同様の符号を付している。
【００８５】
図８に示すように、映像表示装置１００は、複数の光源１０（光源１０ａ及び光源１０ｂ）と、複数のレンズ２０（レンズ２０ａ及びレンズ２０ｂ）と、表示素子３０（上側領域３０ａ及び下側領域３０ｂ）と、投写レンズユニット４０とを有する。
【００８６】
光源１０ａは、表示素子３０に設けられた上側領域３０ａに光を照射する。光源１０ｂは、表示素子３０に設けられた下側領域３０ｂに光を照射する。
【００８７】
レンズ２０ａは、光源１０ａから出射された光を上側領域３０ａ上に集光する。レンズ２０ｂは、光源１０ｂから出射された光を下側領域３０ｂ上に照射する。
【００８８】
表示素子３０は、上側領域３０ａと下側領域３０ｂとを有する。表示素子３０には、上述したように、水平方向に沿って走査線が設けられている。従って、表示素子３０の走査では、上側領域３０ａに設けられた走査線が走査された後に、下側領域３０ｂに設けられた走査線が走査される。
【００８９】
なお、第４実施形態では、走査線が水平方向に沿って設けられていることを前提として、上下方向（垂直方向）において２つの領域に表示素子３０が分割されているが、これに限定されるものではない。表示素子３０は、３つ以上の領域に分割されていてもよく、ブロック毎に分割されていてもよい。
【００９０】
（制御ユニットの構成）
以下において、第４実施形態に係る制御ユニットについて、図面を参照しながら説明する。図９は、第４実施形態に係る制御ユニット２００を示すブロック図である。なお、図９では、図２と同様の構成について同様の符号を付している。
【００９１】
図９に示すように、制御ユニット２００は、図２と同様の構成を有している。但し、光源制御部２５０は、光源１０ａ及び光源１０ｂに接続されており、光源１０ａ及び光源１０ｂを個別に制御する。
【００９２】
ここで、光源制御部２５０は、第１実施形態と同様に、ｎ−１番目の元フレームに相当する複数の出力フレームが表示されている期間における発光期間と、ｎ番目の元フレームに相当する複数の出力フレームが表示されている期間における発光期間とを揃える。
【００９３】
（光源制御方法）
以下において、第４実施形態に係る光源制御方法について、図面を参照しながら説明する。図１０は、第４実施形態に係る光源制御方法の一例について示す図である。図１０では、２−３プルダウン処理が映像信号に施されているケース、すなわち、上述した判定結果（ｃ）に“１”がセットされるケースについて説明する。
【００９４】
図１０に示すように、表示素子３０上に表示される出力フレームの切り替えにおいて、表示素子３０に設けられた走査線を走査する走査時間Ｓ（走査時間Ｓａや走査時間Ｓｂ）が生じる。
【００９５】
なお、走査時間Ｓａ１及び走査時間Ｓｂ１は、表示素子３０に設けられた上側領域３０ａに設けられた走査線を走査する時間である。走査時間Ｓａ２及び走査時間Ｓｂ２は、表示素子３０に設けられた下側領域３０ｂに設けられた走査線を走査する時間である。
【００９６】
ここで、光源制御部２５０は、上側領域３０ａにおいて出力フレームＡが表示されている期間内において、出力フレームＡの表示開始期間に、光源１０ａが光を発しない期間（非発光期間Ａｎｏｎ−Ｓ１）を設ける。同様に、光源制御部２５０は、上側領域３０ａにおいて出力フレームＢが表示されている期間内において、出力フレームＢの表示開始期間に、光源１０ａが光を発しない期間（非発光期間Ｂｎｏｎ−Ｓ１）を設ける。非発光期間Ａｎｏｎ−Ｓ１は、走査時間Ｓａ１を含み、非発光期間Ｂｎｏｎ−Ｓ１は、走査時間Ｓｂ１を含む。
【００９７】
また、光源制御部２５０は、下側領域３０ｂにおいて出力フレームＡが表示されている期間内において、出力フレームＡの表示開始期間に、光源１０ｂが光を発しない期間（非発光期間Ａｎｏｎ−Ｓ２）を設ける。同様に、光源制御部２５０は、下側領域３０ｂにおいて出力フレームＢが表示されている期間内において、出力フレームＢの表示開始期間に、光源１０ｂが光を発しない期間（非発光期間Ｂｎｏｎ−Ｓ２）を設ける。非発光期間Ａｎｏｎ−Ｓ２は、走査時間Ｓａ２を含み、非発光期間Ｂｎｏｎ−Ｓ２は、走査時間Ｓｂ２を含む。
【００９８】
なお、元フレームＡに係る視認期間は、上側領域３０ａに対応する発光期間Ａ１及び下側領域３０ｂに対応する発光期間Ａ２の合計である。同様に、元フレームＢに係る視認期間は、上側領域３０ａに対応する発光期間Ｂ１及び下側領域３０ｂに対応する発光期間Ｂ２の合計である。
【００９９】
（作用及び効果）
第４実施形態では、光源制御部２５０は、表示素子３０に設けられた上側領域３０ａに光を照射する光源１０ａと表示素子３０に設けられた下側領域３０ｂに光を照射する光源１０ｂとを個別に制御する。ここで、元フレームに係る視認期間は、上側領域３０ａに対応する発光期間及び下側領域３０ｂに対応する発光期間の合計である。
【０１００】
従って、元フレームに係る視認期間を長くすることができ、映像の輝度を確保することができる。特に、表示素子３０の応答時間や走査時間が長い場合に、第４実施形態に係る映像表示装置１００は有用である。
【０１０１】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１０２】
上述した実施形態では特に触れていないが、映像表示装置１００は、図１１に示すように、回転軸５１を中心として回転可能に構成されたスキャン素子５０を有していてもよい。スキャン素子５０の外周にはミラー面が設けられている。このような映像表示装置１００では、光源１０から出射された光をスキャン素子５０が回転しながら反射することによって、表示素子３０上に設けられた走査線に沿ってスキャン素子５０で反射された光が走査される。
【０１０３】
上述した実施形態では、ＩＰ変換が行われることを前提として、映像表示装置１００は、プログレッシブ方式に対応するフレームを出力フレームとして出力するが、これに限定されるものではない。具体的には、映像表示装置１００は、インタレース方式に対応するフィールドを出力フレームとして出力してもよい。なお、出力フレーム区間の長さは、上述した実施形態と同様に、表示素子３０の駆動周波数の逆数である。
【０１０４】
上述した実施形態では特に明示していないが、光源１０、光源１０ａ及び光源１０ｂは、複数の光源によって構成される光源群であってもよい。
【０１０５】
上述した第４実施形態は、表示素子３０は、２つの領域（上側領域３０ａ、下側領域３０ｂ）を有しており、２つの領域にそれぞれ光を照射する２つの光源１０（光源１０ａ及び光源１０ｂ）が設けられているが、これに限定されるものではない。具体的には、表示素子３０は、３つ以上の領域を有しており、３つ以上の領域にそれぞれ光を照射する３つ以上の光源１０が設けられていてもよい。
【図面の簡単な説明】
【０１０６】
【図１】第１実施形態に係る映像表示装置１００を示す概略図である。
【図２】第１実施形態に係る制御ユニット２００を示すブロック図である。
【図３】第１実施形態に係る２−３プルダウン検出部２３０を示すブロック図である。
【図４】第１実施形態に係る光源制御方法を説明するための図である。
【図５】第２実施形態に係る光源制御方法を説明するための図である。
【図６】第３実施形態に係る走査方法を説明するための図である。
【図７】第３実施形態に係る光源制御方法を説明するための図である。
【図８】第４実施形態に係る映像表示装置１００を示す概略図である。
【図９】第４実施形態に係る制御ユニット２００を示すブロック図である。
【図１０】第４実施形態に係る光源制御方法を説明するための図である。
【図１１】その他の実施形態に係る映像表示装置１００を示す概略図である。
【符号の説明】
【０１０７】
１０・・・光源、２０・・・レンズ、３０・・・表示素子、３０ａ・・・上側領域、３０ｂ・・・下側領域、４０・・・投写レンズユニット、５０・・・スキャン素子、５１・・・回転軸、１００・・・映像表示装置、２００・・・制御ユニット、２１０・・・映像信号受付部、２２０・・・２−３プルダウン処理部、２３０・・・２−３プルダウン検出部、２３１・・・遅延回路、２３２・・・遅延回路、２３３・・・差分検出部、２３４・・・判定部、２３５・・・Ｉ／Ｐ変換部、２４０・・・素子制御部、２５０・・・光源制御部
【図１】
2009100428.tif 000003
【図２】
2009100428.tif 000004
【図３】
2009100428.tif 000005
【図４】
2009100428.tif 000006
【図５】
2009100428.tif 000007
【図６】
2009100428.tif 000008
【図７】
2009100428.tif 000009
【図８】
2009100428.tif 000010
【図９】
2009100428.tif 000011
【図１０】
2009100428.tif 000012
【図１１】
2009100428.tif 000013